(57)【要約】【課題】大棟を境にして隣接する二つの屋根において、その一方の屋根と他方の屋根の妻側端部の位置を大棟に沿った方向にずらして、一方の屋根と他方の屋根が交わる大棟に沿って現れる、その一方の屋根の頂部による片棟と、他方の屋根の妻側端部に取り付ける破風との納まりの問題を解消する。【解決手段】一方の屋根１の片棟５に取り付けられた片棟部材１２と、大棟４に沿った方向にずれて配置された他方の屋根２の妻側端部７に取り付けられ、かつ、片棟部材１２に接続する破風部材１３と、一方の屋根１の上方から片棟部材１２の上方に跨って配置され、かつ、一方の屋根１、片棟部材１２、破風部材１３に接続する棟包み部材２３・２４・２５・２６と、を備える。【選択図】図１
2019183533.tif 000002
【特許請求の範囲】
【請求項１】
少なくとも二方向に傾斜する屋根が大棟を境にして互いに隣接しており、当該屋根のうち一方の屋根の妻側端部と他方の屋根の妻側端部の位置が当該大棟に沿った方向にずれて配置されることで、当該一方の屋根の頂部による片棟が当該大棟に沿って現れる屋根構造であって、
前記片棟に取り付けられた片棟部材と、
前記他方の屋根の前記妻側端部に取り付けられ、かつ、前記片棟部材に接続する破風部材と、
前記一方の屋根の上方から前記片棟部材の上方に跨って配置され、かつ、前記一方の屋根、前記片棟部材、前記破風部材に接続する棟包み部材と、
を備えることを特徴とする屋根構造。
【請求項２】
請求項１に記載の屋根構造において、
前記棟包み部材は、前記片棟部材の上半部に下端部が重ねられて取り付けられた片棟包みを備えることを特徴とする屋根構造。
【請求項３】
請求項１又は２に記載の屋根構造において、
前記破風部材は、前記片棟と前記他方の屋根の前記妻側端部とによる入隅部に取り付けられた片棟入隅下がり部品を介して前記片棟部材に接続されており、
前記片棟入隅下がり部品の一端部は、前記片棟部材の入隅部側端部に重ねられ、他端部は、前記破風部材の入隅部側端部に重ねられていることを特徴とする屋根構造。
【請求項４】
請求項３に記載の屋根構造において、
前記片棟入隅下がり部品は、
前記片棟部材の下半部に一端部が重ねられ、前記破風部材の下半部に他端部が重ねられて、前記入隅部の下半部に取り付けられた片棟入隅下がり下部品と、
前記片棟部材の上半部に一端部が重ねられ、前記破風部材の上半部に他端部が重ねられて、前記入隅部の上半部に取り付けられた片棟入隅下がり上部品と、
の分割体で構成されていることを屋根構造。
【請求項５】
請求項１から３のいずれか一項の屋根構造において、
前記一方の屋根の前記妻側端部に取り付けられ、かつ、前記片棟部材に接続する、前記破風部材と異なる破風部材をさらに備えることを特徴とする屋根構造。
【請求項６】
請求項５に記載の屋根構造において、
前記片棟部材は、前記片棟の出隅部に取り付けられた片棟出隅部品を介して前記異なる破風部材と接続されていることを特徴とする屋根構造。
【請求項７】
請求項６に記載の屋根構造において、
前記片棟出隅部品は、
前記片棟部材に一端部が重ねられて、前記出隅部の下半部に取り付けられた片棟出隅下部品と、
前記出隅部の上半部に取り付けられた片棟出隅上部品と、
の分割体で構成されていることを特徴とする屋根構造。
【請求項８】
請求項１から７のいずれか一項に記載の屋根構造において、
前記大棟及び前記片棟の上面に取り付けられた棟下地材を備えることを特徴とする屋根構造。
【請求項９】
請求項８に記載の屋根構造において、
前記片棟包みは、前記棟下地材の上面に重ねられていることを特徴とする屋根構造。
【請求項１０】
請求項９に記載の屋根構造において、
前記棟包み部材は、前記片棟包みに一端部が重ねられて、前記片棟の前記入隅部側の上半部と前記棟下地材の上面と前記片棟入隅下がり上部品の上面に取り付けられた片棟入隅下がり包みを備えることを特徴とする屋根構造。
【請求項１１】
請求項１０に記載の屋根構造において、
前記棟包み部材は、前記片棟包みに一端部が重ねられて、前記出隅部の上半部及び上面に取り付けられた片棟出隅包みを備えることを特徴とする屋根構造。
【請求項１２】
請求項１１に記載の屋根構造において、
前記棟包み部材は、前記片棟入隅下がり包みの上面に一端部が重ねられて、前記棟下地材の上面に取り付けられた棟包みを備えることを特徴とする屋根構造。
【発明の詳細な説明】
【技術分野】
【０００１】
本発明は、屋根構造に関する。
【背景技術】
【０００２】
特許文献１において、作業員の技術を問わず、勾配が異なる屋根間に形成された入隅部を確実に雨仕舞することができる水切り板が提案される。これは、切妻屋根とその先に設けられている異種勾配屋根とで形成されている入隅部に取り付けられる水切り板で、切妻屋根に沿って固定する平板部と、異種勾配屋根に沿って固定する折曲部とを有し、これら平板部と折曲部の段差間に、平板部と折曲部を連結させる連結部を設けたものである。
【０００３】
また、特許文献２において、破風化粧材の上面の雨水が破風化粧材の下端から雨垂れとなって落下する恐れのない屋根のけらば部の水切り構造が提案される。これは、破風化粧材の内側に屋根材が設けられた屋根のけらば部の水切り構造で、破風化粧材の上面の下端部付近には、破風化粧材の外側端から内側端にかけて案内板が取付けられ、その案内板の水上側が、破風化粧材の外側端の比較的上方に設けられ、案内板の水下側が、破風化粧材の内側端の比較的下方に設けられている。
【０００４】
また、特許文献３において、パネル式屋根において、半寄棟屋根のケラバ近傍部分に対応した形状のケラバ屋根パネルおよびその設置構造が提案される。このケラバ屋根パネルは、切妻屋根の妻側端部に寄棟屋根が設けられ、切妻屋根のケラバが、寄棟屋根の軒先より妻壁側に後退している半切妻屋根における、切妻屋根の妻側端部を構成するものである。そして、所定の厚さを有し、切妻屋根の妻側端部に設けられるケラバ屋根パネル本体と、平面視において、切妻屋根の端部に当接されかつ切妻屋根の軒先まで延出する第１当接部と、寄棟屋根の隅棟に当接されかつ寄棟屋根の軒先まで延出する第２当接部と、寄棟屋根の軒先より妻壁側に後退した位置に形成されたケラバとを備えている。
【先行技術文献】
【特許文献】
【０００５】
【特許文献１】特開平５−２３９８８８号公報
【特許文献２】特開平７−２７９３２３号公報
【特許文献３】特開２００１−４９７８５号公報
【発明の概要】
【発明が解決しようとする課題】
【０００６】
ところで、大棟を境にして隣接する二つの屋根において、その一方の屋根と他方の屋根の妻側端部の位置を大棟に沿った方向にずらした場合、一方の屋根と他方の屋根が交わる大棟に沿って、一方の屋根の頂部による片棟が現れる。
すると、その一方の屋根の頂部による片棟に対し直交方向に、他方の屋根の妻側端部も現れるが、その他方の屋根の妻側端部に取り付ける破風と一方の屋根の頂部による片棟を連続させる部品が従来はなく、破風と片棟を連続させる納まりの問題が生じる。
すなわち、一般的に、破風は大工の仕事で、棟包みは屋根職人の仕事に分担されており、破風と棟包みを連続させる作業は手順的に難がある。
また、破風が棟包みの上に来るのは防水上良くない。
【０００７】
本発明の課題は、大棟を境にして隣接する二つの屋根において、その一方の屋根と他方の屋根の妻側端部の位置を大棟に沿った方向にずらして、一方の屋根と他方の屋根が交わる大棟に沿って現れる、その一方の屋根の頂部による片棟と、他方の屋根の妻側端部に取り付ける破風との納まりの問題を解消することである。
【課題を解決するための手段】
【０００８】
以上の課題を解決するため、請求項１に記載の発明は、例えば図１から図１０に示すように、
少なくとも二方向に傾斜する屋根１・２が大棟４を境にして互いに隣接しており、当該屋根のうち一方の屋根１の妻側端部８と他方の屋根２の妻側端部７の位置が当該大棟４に沿った方向にずれて配置されることで、当該一方の屋根１の頂部による片棟５が当該大棟４に沿って現れる屋根構造であって、
前記片棟５に取り付けられた片棟部材１２と、
前記他方の屋根２の前記妻側端部７に取り付けられ、かつ、前記片棟部材１２に接続する破風部材１３と、
前記一方の屋根１の上方から前記片棟部材１２の上方に跨って配置され、かつ、前記一方の屋根１、前記片棟部材１２、前記破風部材１３に接続する棟包み部材２３・２４・２５・２６と、
を備えることを特徴とする。
【０００９】
請求項１に記載の発明によれば、一方の屋根１の片棟５に片棟部材１２を取り付けて、他方の屋根２の妻側端部７に破風部材１３を取り付けておき、その一方の屋根１の上方から片棟部材１２の上方に跨って、かつ、一方の屋根１、片棟部材１２、破風部材１３に接続する棟包み部材２３・２４・２５・２６を配置する。
こうして、大棟４に沿って現れる片棟５と、他方の屋根２の妻側端部７とを、その一方の屋根１の上方から片棟部材１２の上方に跨って、かつ、一方の屋根１、片棟部材１２及び破風部材１３に接続する棟包み部材２３・２４・２５・２６で連続させることができる。
これら片棟部材１２、破風部材１３及び棟包み部材２３・２４・２５・２６により、片棟５と、他方の屋根２の妻側端部７に取り付ける破風との納まりの問題を解消することができる。
【００１０】
すなわち、一方の屋根１の上方から片棟部材１２の上方に跨って、かつ、一方の屋根１、片棟部材１２及び破風部材１３に接続する棟包み部材２３・２４・２５・２６で連続させることで、防水性を確保できる。
そして、片棟５と破風が連続して形成されることから意匠性も向上する。
しかも、屋根職人による棟包みの取り付け作業ができることから施工性もよい。
【００１１】
請求項２に記載の発明は、例えば図１から図８に示すように、
請求項１に記載の屋根構造において、
前記棟包み部材は、前記片棟部材１２の上半部に下端部が重ねられて取り付けられた片棟包み２３を備えることを特徴とする。
【００１２】
請求項２に記載の発明によれば、一方の屋根１の上方から片棟部材１２の上方に跨って、片棟部材１２の上半部に下端部が重ねられる片棟包み２３を取り付けることで、片棟５の上半部を覆うことができる。
【００１３】
請求項３に記載の発明は、例えば図１から図１０に示すように、
請求項１又は２に記載の屋根構造において、
前記破風部材１３は、前記片棟５と前記他方の屋根２の前記妻側端部７とによる入隅部に取り付けられた片棟入隅下がり部品１４・１６を介して前記片棟部材１２に接続されており、
前記片棟入隅下がり部品１４・１６の一端部は、前記片棟部材１２の入隅部側端部に重ねられ、他端部は、前記破風部材１３の入隅部側端部に重ねられていることを特徴とする。
【００１４】
請求項３に記載の発明によれば、片棟部材１２の入隅側端部に一端部を重ね、破風部材１３の入隅側端部に他端部を重ねて、片棟５と他方の屋根２の妻側端部７とによる入隅部に片棟入隅下がり部品１４・１６を取り付けることで、片棟部材１２と破風部材１３を片棟入隅下がり部品１４・１６を介して接続することができる。
【００１５】
請求項４に記載の発明は、例えば図４、図５に示すように、
請求項３に記載の屋根構造において、
前記片棟入隅下がり部品は、
前記片棟部材１２の下半部１２ａに一端部が重ねられ、前記破風部材１３の下半部１３ａに他端部が重ねられて、前記入隅部の下半部に取り付けられた片棟入隅下がり下部品１４と、
前記片棟部材１２の上半部１２ｂに一端部が重ねられ、前記破風部材１３の上半部１３ｂに他端部が重ねられて、前記入隅部の上半部に取り付けられた片棟入隅下がり上部品１６と、
の分割体で構成されていることを特徴とする。
【００１６】
請求項４に記載の発明によれば、片棟部材１２の下半部１２ａに一端部を重ね、破風部材１３の下半部１３ａに他端部を重ねて、片棟５と他方の屋根２の妻側端部７とによる入隅部に片棟入隅下がり下部品１４を取り付けて、片棟部材１２の上半部１２ｂに一端部を重ね、破風部材１３の上半部１３ｂに他端部を重ねて、片棟５と他方の屋根の妻側端部７とによる入隅部に片棟入隅下がり上部品１６を取り付ける。
こうして、異種勾配屋根３の大棟４に沿って現れる、片棟５と、他方の屋根の妻側端部７とを、片棟部材１２及び破風部材１３と、上下に分割された片棟入隅下がり下部品１４及び片棟入隅下がり上部品１６とで連続させることができる。
これら片棟部材１２、破風部材１３、片棟入隅下がり下部品１４及び片棟入隅下がり上部品１６により、片棟５と、他方の屋根２の妻側端部７に取り付ける破風との納まりの問題を解消することができる。
【００１７】
請求項５に記載の発明は、例えば図１及び図２に示すように、
請求項１から３のいずれか一項の屋根構造において、
前記一方の屋根１の前記妻側端部８に取り付けられ、かつ、前記片棟部材１２に接続する、前記破風部材１３と異なる破風部材１８をさらに備えることを特徴とする。
【００１８】
請求項５に記載の発明によれば、一方の屋根１の妻側端部８には、他方の屋根２の妻側端部７に取り付けられた破風部材１３と異なる、片棟部材１２に接続する破風部材１８が取り付けられているので、破風のラインが連続して形成されるため、意匠性がよい。
【００１９】
請求項６に記載の発明は、例えば図４、図５に示すように、
請求項５に記載の屋根構造において、
前記片棟部材１２は、前記片棟５の出隅部に取り付けられた片棟出隅部品１５・１７を介して前記異なる破風部材１８と接続されていることを特徴とする。
【００２０】
請求項６に記載の発明によれば、片棟５の出隅部に片棟出隅部品１５・１７を取り付けることで、片棟５の出隅部を覆うことができる。
そして、片棟部材１２は、片棟出隅部品１５・１７を介して異なる破風部材１８と接続されているので、片棟と破風のラインが連続して形成されるため、意匠性がよい。
【００２１】
請求項７に記載の発明は、例えば図４、図５に示すように、
請求項６に記載の屋根構造において、
前記片棟出隅部品は、
前記片棟部材１２に一端部が重ねられて、前記出隅部の下半部に取り付けられた片棟出隅下部品１５と、
前記出隅部の上半部に取り付けられた片棟出隅上部品１７と、
の分割体で構成されていることを特徴とする。
【００２２】
請求項７に記載の発明によれば、片棟部材１２に一端部を重ねて、片棟５の出隅部の下半部に片棟出隅下部品１５を取り付けて、片棟５の出隅部の上半部に片棟出隅上部品１７を取り付けることで、片棟５の出隅部の下半部及び上半部を、上下に分割された片棟出隅下部品１５及び片棟出隅上部品１７で覆うことができる。
【００２３】
請求項８に記載の発明は、例えば図７に示すように、
請求項１から７のいずれか一項に記載の屋根構造において、
前記大棟４及び前記片棟５の上面に取り付けられた棟下地材２２を備えることを特徴とする。
【００２４】
請求項８に記載の発明によれば、大棟４及び片棟５の上面に棟下地材２２を取り付けることで、以降の片棟包み２３、片棟入隅下がり包み２４及び棟包み２６の施工に対応することができる。
【００２５】
請求項９に記載の発明は、例えば図８に示すように、
請求項８に記載の屋根構造において、
前記片棟包み２３は、前記棟下地材２２の上面に重ねられていることを特徴とする。
【００２６】
請求項９に記載の発明によれば、片棟部材１２の上半部に下端部を重ねて、棟下地材２２の上面に重ねられる片棟包み２３を取り付けることで、片棟５の上半部及び棟下地材２２を覆うことができる。
【００２７】
請求項１０に記載の発明は、例えば図９に示すように、
請求項９に記載の屋根構造において、
前記棟包み部材は、前記片棟包み２３に一端部が重ねられて、前記片棟５の前記入隅部側の上半部と前記棟下地材２２の上面と前記片棟入隅下がり上部品１６の上面に取り付けられた片棟入隅下がり包み２４を備えることを特徴とする。
【００２８】
請求項１０に記載の発明によれば、片棟包み２３に一端部を重ねて、片棟５の入隅部側の上半部と棟下地材２２の上面と片棟入隅下がり上部品１６の上面に片棟入隅下がり包み２４を取り付ける。
こうして、異種勾配屋根３の片棟５の上面に取り付けた棟下地材２２と、片棟包み２３とを、片棟５の入隅部側の上半部と棟下地材２２の上面と片棟入隅下がり上部品１６の上面に取り付けた片棟入隅下がり包み２４で連続させることができる。
【００２９】
請求項１１に記載の発明は、例えば図９に示すように、
請求項１０に記載の屋根構造において、
前記棟包み部材は、前記片棟包み２３に一端部が重ねられて、前記片棟５の前記出隅部の上半部及び上面に取り付けられた片棟出隅包み２５を備えることを特徴とする。
【００３０】
請求項１１に記載の発明によれば、片棟包み２３に一端部を重ねて、片棟５の出隅部の上半部及び上面に片棟出隅包み２５を取り付ける。
こうして、片棟出隅上部品１７と片棟包み２３とを片棟出隅包み２５で連続させることができる。
【００３１】
請求項１２に記載の発明は、例えば図１０に示すように、
請求項１１に記載の屋根構造において、
前記棟包み部材は、前記片棟入隅下がり包み２４の上面に一端部が重ねられて、前記棟下地材２２の上面に取り付けられた棟包み２６を備えることを特徴とする。
【００３２】
請求項１２に記載の発明によれば、片棟入隅下がり包み２４の上面に一端部を重ねて、棟下地材２２の上面を覆う棟包み２６を取り付けることで、片棟入隅下がり包み２４と大棟４を棟包み２６で連続させることができる。
【発明の効果】
【００３３】
本発明によれば、大棟を境にして隣接する二つの屋根において、その一方の屋根と他方の屋根の妻側端部の位置を大棟に沿った方向にずらして、一方の屋根と他方の屋根が交わる大棟に沿って現れる、その一方の屋根の頂部による片棟と、他方の屋根の妻側端部に取り付ける破風との納まりの問題を解消することができる。
【図面の簡単な説明】
【００３４】
【図１】本発明に係る屋根構造を適用した異種勾配屋根の建物を示す正面図である。
【図２】図１の建物を左側から見た側面図である。
【図３】図２の屋根の片棟部分の拡大斜視図で、捨て水切り、片棟部材及び破風部材の施工を示した図である。
【図４】図３に続いて、片棟入隅下がり下部品及び片棟出隅下部品の施工を示した図である。
【図５】図４に続いて、片棟入隅下がり上部品及び片棟出隅上部品の施工を示した図である。
【図６】図５に続いて、屋根材の施工を示した図である。
【図７】図６に続いて、棟下地材の施工を示した図である。
【図８】図７に続いて、棟包み部材を構成する片棟包みの施工を示した図である。
【図９】図８に続いて、棟包み部材を構成する片棟入隅下がり包み及び片棟出隅包みの施工を示した図である。
【図１０】図９に続いて、棟包みの施工を示した図である。
【発明を実施するための形態】
【００３５】
以下、図面を参照して本発明の実施の形態について説明する。
（実施形態）
図１及び図２は本発明に係る屋根構造を適用した異種勾配屋根の建物を示すもので、図示のように、建物の勾配屋根は、一方の第一屋根１の勾配と、他方の第二屋根２の勾配とが異なるように設定された異種勾配屋根３とされている。
第一屋根１は、第二屋根２に比して角度の緩い緩勾配の屋根とされ、第二屋根２は、第一屋根１に比して角度の急な急勾配とされている。
第一屋根１は、正面側から背面側にかけての長さが、第二屋根２の正面側から背面側にかけての長さよりも長く設定されている。
第二屋根２の正面の妻側端部７は、第一屋根１の正面の妻側端部８よりも後方に位置している。
第二屋根２の背面の妻側端部９は、第一屋根１の背面の妻側端部１０よりも前方に位置している。
【００３６】
したがって、異種勾配屋根３の棟部は、勾配屋根の頂部において第一屋根１と第二屋根２とが交わる位置に設けられた水平な大棟４と、この大棟４に沿って第二屋根２の正面側端部から第一屋根１の正面側端部にかけて設けられた水平な片棟５と、大棟４に沿って第二屋根２の背面側端部から第一屋根１の背面側端部にかけて設けられた水平な片棟６と、を有している。
【００３７】
なお、第二屋根２における勾配は、北側斜線制限や道路斜線制限、隣地斜線制限に対応している。また、東京都や神奈川県横浜市のような狭小地の多い地域では、「高度地区」と呼ばれる建築物の高さに関する規定があり、本実施形態における建物は、当該規定を満たすように建築されている。より具体的には、本実施形態における建物は、「東京２種高度」、「横浜３種高度」の規定を満たしている。
本実施形態における第二屋根２は、１分の１傾斜、すなわち、４５度の角度で傾斜している（１０寸勾配、矩勾配ともいう。）。
本実施形態における第一屋根１は、上述のように緩勾配であり、雨仕舞いを向上させるために、金属製の屋根（板金屋根）が採用されている。
一方、第二屋根２は急勾配であるため、必ずしも板金屋根が採用されなくてもよいが、本実施形態においては、勾配屋根全体の施工性を考慮して、第一屋根１と第二屋根２の双方に板金屋根が採用されている。
【００３８】
図３は図２の異種勾配屋根３の片棟５部分を拡大して、捨て水切り１１、片棟部材１２及び破風部材１３の施工を示したものである。
図示のように、第一屋根１の片棟５の出隅部の上に、片棟５と直交する方向に板金製の捨て水切り１１を敷き、その捨て水切り１１の端部を片棟５頂部で立ち上げてシーリング処理して固定する。また、第二屋根２の妻側端部７の上に、大棟４と直交する方向に捨て水切り１１を敷き、その捨て水切り１１を大棟４頂部で立ち上げてシーリング処理して固定する。
【００３９】
そして、第一屋根１の片棟５に片棟部材１２を固定する。
片棟部材１２は板金製で、図示のように、片棟５の下半部及びその下方を覆う下半部１２ａと、その下半部１２ａの上部から内側に曲がって上方に伸びて片棟５の頂部に預ける形の折り曲げ部が形成された上半部１２ｂと、下半部１２ａの下部から内側に伸びる折り返し形状部１２ｃとを有する形状となっている。
このような形状の片棟部材１２を片棟５にビス止めして固定する。
【００４０】
また、第二屋根２の妻側端部７に破風部材１３を固定する。
破風部材１３は板金製で、図示のように、妻側端部７の上下まで覆う下半部１３ａ及び上半部１３ｂを有する形状となっている。なお、下半部１３ａと上半部１３ｂの境に沿った溝１３ｃが形成されている。
このような形状の破風部材１３を妻側端部７にビス止めして固定する。
【００４１】
次に、図４は片棟入隅下がり下部品１４及び片棟出隅下部品１５の施工を示したものである。
図示のように、第一屋根１の片棟５から第二屋根２の妻側端部７にわたって片棟入隅下がり下部品１４を固定する。
片棟入隅下がり下部品１４は板金製で、片棟５の入隅側下半部を覆う下半部１４ａと、その下半部１４ａと直角に連続して妻側端部７の入隅側下半部を覆う下がり形状下半部１４ｂと、下半部１４ａの上部から内側に曲がって上方に伸びて片棟５の頂部に預ける形の折り曲げ部が形成された上半部１４ｃと、下がり形状下半部１４ｂの上部から内側に曲がって上方に伸びた上方延長部１４ｄとを有する形状となっている。
【００４２】
このような形状の片棟入隅下がり下部品１４は、図示のように、下半部１４ａ及び上半部１４ｃの先端を片棟部材１２の入隅側端部に重ね、下がり形状下半部１４ｂの先端を破風部材１３の下半部１３ａの入隅側端部に重ねて、下半部１４ａ、下がり形状下半部１４ｂ、上半部１４ｃ及び上方延長部１４ｄを、片棟５の入隅側及び妻側端部７の入隅側にビス止めして固定する。
なお、片棟入隅下がり下部品１４と片棟部材１２及び破風部材１３との重ね部はシーリングを塗布しておく。
【００４３】
また、図４に示したように、片棟５の出隅部に片棟出隅下部品１５を固定する。
片棟出隅下部品１５は、図示のように、片棟５の出隅側の下半部を覆う下半部１５ａと、その下半部１５ａと直角に連続して片棟５の出隅部の突出端面下半部を覆う直角端面部１５ｂと、下半部１５ａの上部から内側に曲がって上方に伸びた上方延長部１５ｃとを有する形状となっている。
このような形状の片棟出隅下部品１５は、下半部１５ａの先端を片棟部材１２の出隅側端部に重ねて、下半部１５ａ、直角端面部１５ｂ及び上方延長部１５ｃを、片棟５の出隅側下半部及び突出端面下半部にビス止めして固定する。
なお、片棟出隅下部品１５と片棟部材１２との重ね部は、シーリング剤を塗布して重ねる。
【００４４】
次に、図５は片棟入隅下がり上部品１６及び片棟出隅上部品１７の施工を示したものである。
図示のように、第一屋根１の片棟５から第二屋根２の妻側端部７にわたって片棟入隅下がり上部品１６を固定する。
片棟入隅下がり上部品１６は板金製で、妻側端部７の入隅側上半部を覆う下がり形状上半部１６ｂと、その下がり形状上半部１６ｂと直角に連続して片棟５の入隅側上半部に重なるように伸びた直角延長部１６ｃとを有する形状となっている。
【００４５】
このような形状の片棟入隅下がり上部品１６は、図示のように、下がり形状上半部１６ｂの先端を破風部材１３の上半部１３ｂの入隅側端部に重ね、直角延長部１６ｃを片棟入隅下がり下部品１４の上半部１４ｃに重ねて、下がり形状上半部１６ｂ及び直角延長部１６ｃを、片棟５の入隅側及び妻側端部７の入隅側にビス止めして固定する。
なお、片棟入隅下がり上部品１６と破風部材１３との重ね部は、シーリング剤を塗布して重ねる。
【００４６】
また、図５に示したように、片棟５の出隅部に片棟出隅上部品１７を固定する。
片棟出隅上部品１７は板金製で、図示のように、片棟５の出隅部の突出端面上半部を覆う形状となっている。
このような形状の片棟出隅上部品１７は、片棟出隅下部品１５の上に重ねて、片棟５の出隅部の先端部及び突出端面上半部にビス止めして固定する。
【００４７】
以上、図３から図５が大工工事となる。
そして、次の図６から図１０が屋根工事である。
【００４８】
図６は屋根材２１の施工を示したものである。
図示のように、第一屋根１及び第二屋根２の上面に屋根材２１を敷設してビス止めにより固定する。
【００４９】
次に、図７は棟下地材２２の施工を示したもので、図示のように、大棟４及び片棟５の上面に連続する棟下地材２２を敷設してビス止めにより固定する。
【００５０】
次に、図８は棟包み部材を構成する片棟包み２３の施工を示したもので、図示のように、片棟５の上半部及び棟下地材２２の上面部を覆う片棟包み２３を固定する。
片棟包み２３は板金製で、片棟５の上半部を覆う垂直面部２３ａと、棟下地材２２の上面を覆う水平面部２３ｂとを有する形状となっている。
【００５１】
このような形状の片棟包み２３は、図示のように、片棟部材１２の上半部１２ｂ、片棟出隅下部品１５の上方延長部１５ｃ、及び片棟入隅下がり上部品１６の直角延長部１６ｃに垂直面部２３ａを重ね、棟下地材２２の上面部に水平面部２３ｂを重ねてビス止めにより固定する。
【００５２】
次に、図９は棟包み部材を構成する片棟入隅下がり包み２４及び片棟出隅包み２５の施工を示したものである。
図示のように、片棟５から第二屋根２の妻側端部７にわたって片棟入隅下がり包み２４を固定する。
片棟入隅下がり包み２４は板金製で、片棟５の入隅部側上半部を覆う垂直面部２４ａと、棟下地材２２及び片棟包み２３の内端部側の上面を覆う水平面部２４ｂと、片棟入隅下がり上部品１６の直角延長部１６ｃの上面を覆う直角延長部２４ｃを有する形状となっている。
【００５３】
このような形状の片棟入隅下がり包み２４は、図示のように、片棟５の入隅部側上半部及び片棟包み２３の垂直面部２３ａの内端部側に垂直面部２４ａを重ね、棟下地材２２及び片棟包み２３の水平面部２３ｂの内端部側に水平面部２４ｂを重ね、片棟入隅下がり上部品１６の直角延長部１６ｃの上面に直角延長部２４ｃを重ねてビス止めにより固定する。
なお、片棟包み２３と片棟入隅下がり包み２４との重ね部は、シーリング剤を塗布して重ねる。
【００５４】
また、図９に示したように、片棟５から出隅部に片棟出隅包み２５を固定する。
片棟出隅包み２５は板金製で、片棟５の出隅部側上半部を覆う垂直面部２５ａと、片棟包み２３の水平面部２３ｂの外端部側上面及び片棟出隅上部品１７の上面を覆う水平面部２５ｂとを有する形状となっている。
このような形状の片棟出隅包み２５は、片棟５の出隅部側上半部に垂直面部２５ａを重ね、片棟包み２３の水平面部２３ｂの外端部側上面及び片棟出隅上部品１７の上面に水平面部２５ｂを重ねてビス止めにより固定する。
なお、片棟包み２３と片棟出隅包み２５との重ね部は、シーリング剤を塗布して重ねる。
【００５５】
次に、図１０は棟包み２６の施工を示したもので、図示のように、大棟４に沿って棟下地材２２を覆う棟包み２６をネジ止めして固定し、所定のシーリング処理を施す。
【００５６】
なお、異種勾配屋根３の背面側において、第一屋根１の片棟６と第二屋根２の妻側端部９とは、以上の片棟及び破風の納まり構造と左右反転した構成を採用する。
図１及び図２に示すように、屋根の正面側において、第一屋根１の妻側端部８には、片棟出隅部品１５・１７が接続される破風部材１８が取り付けられており、また、背面側において、第二屋根２の妻側端部９に破風部材１９が取り付けられて、第一屋根１の妻側端部１０に破風部材２０が取り付けられている。
【００５７】
以上、実施形態によれば、異種勾配屋根３を形成する一方の第一屋根１の片棟５に片棟部材１２を取り付けて、他方の第二屋根２の妻側端部７に破風部材１３を取り付けておき、その第一屋根１の上方から片棟部材１２の上方に跨って、かつ、第一屋根１、片棟部材１２、破風部材１３に接続する棟包み部材（片棟包み２３、片棟入隅部下がり包み２４、片棟出隅包み２５、棟包み２６）を配置する片棟及び破風の構造とした。
こうして、大棟４に沿って現れる片棟５と、第二屋根２の妻側端部７とを、第一屋根１の上方から片棟部材１２の上方に跨って、かつ、第一屋根１、片棟部材１２及び破風部材１３に接続する棟包み部材（片棟包み２３、片棟入隅部下がり包み２４、片棟出隅包み２５、棟包み２６）で連続させることができる。
これら片棟部材１２、破風部材１３及び棟包み部材（片棟包み２３、片棟入隅部下がり包み２４、片棟出隅包み２５、棟包み２６）により、片棟５と、第二屋根２の妻側端部７に取り付ける破風との納まりの問題を解消することができる。
【００５８】
すなわち、第一屋根１の上方から片棟部材１２の上方に跨って、かつ、第一屋根１、片棟部材１２及び破風部材１３に接続する棟包み部材（片棟包み２３、片棟入隅部下がり包み２４、片棟出隅包み２５、棟包み２６）で連続させることによって、防水性を確保できる。
そして、片棟５と破風が連続して形成されることから意匠性も向上する。
しかも、屋根職人による棟包みの取り付け作業ができることから施工性もよい。
【００５９】
具体的には、第一屋根１の上方から片棟部材１２の上方に跨って、片棟部材１２の上半部に下端部が重ねられる片棟包み２３を取り付けることで、片棟５の上半部を覆うことができる。
【００６０】
次に、片棟部材１２の入隅側端部に一端部を重ね、破風部材１３の入隅側端部に他端部を重ねて、片棟５と他方の屋根２の妻側端部７とによる入隅部に片棟入隅下がり部品１４・１６を取り付けることで、片棟部材１２と破風部材１３を片棟入隅下がり部品１４・１６を介して接続することができる。
【００６１】
また、第一屋根１の妻側端部８には、第二屋根２の妻側端部７に取り付けられた破風部材１３と異なる、片棟部材１２に片隅出隅部品１５・１７を介して接続する破風部材１８が取り付けられているので、破風のラインが連続して形成されるため、意匠性がよい。
【００６２】
そして、片棟部材１２の下半部１２ａに一端部を重ね、破風部材１３の下半部１３ａに他端部を重ねて、第一屋根１の片棟５と第二屋根２の妻側端部７とによる入隅部に片棟入隅下がり下部品１４を取り付けて、片棟部材１２の上半部１２ｂに一端部を重ね、破風部材１３の上半部１３ｂに他端部を重ねて、第一屋根１の片棟５と第二屋根２の妻側端部７とによる入隅部に片棟入隅下がり上部品１６を取り付ける片棟及び破風の構造とした。
このため、異種勾配屋根３の大棟４に沿って現れる、第一屋根１の頂部による片棟５と、第二屋根２の妻側端部７とを、片棟部材１２及び破風部材１３と、上下に分割された片棟入隅下がり下部品１４及び片棟入隅下がり上部品１６とで連続させることができる。
【００６３】
したがって、これら片棟部材１２、破風部材１３、片棟入隅下がり下部品１４及び片棟入隅下がり上部品１６により、異種勾配屋根３を形成する第一屋根１の頂部による片棟５と、第二屋根２の妻側端部７に取り付ける破風との納まりの問題を解消することができる。
つまり、作業手順が簡易になり、屋根の施工性を向上できる。
また、複数の部材が重なり合って設けられるため、防水性を向上できる。
【００６４】
そして、第一屋根１の片棟５の出隅部に片棟出隅部品１５・１７を取り付ける構造により、片棟５の出隅部を覆うことができる。
すなわち、片棟部材１２に一端部を重ねて、片棟５の出隅部の下半部に片棟出隅下部品１５を取り付けて、片棟５の出隅部の上半部に片棟出隅上部品１７を取り付ける構造のため、片棟５の出隅部の下半部及び上半部を、上下に分割された片棟出隅下部品１５及び片棟出隅上部品１７で覆うことができる。
また、片棟部材１２は、片棟出隅部品１５・１７を介して異なる破風部材１８と接続されているので、片棟と破風のラインが連続して形成されるため、意匠性がよい。
【００６５】
さらに、片棟部材１２の上半部に下端部を重ねて、片棟５の上半部及び棟下地材２２の上面に片棟包み２３を取り付ける構造のため、片棟５の上半部及び棟下地材２２を覆うことができる。
【００６６】
そして、片棟包み２３に一端部を重ねて、片棟５の入隅部側の上半部と棟下地材２２の上面と片棟入隅下がり上部品１６の上面に片棟入隅下がり包み２４を取り付ける構造のため、異種勾配屋根３の大棟４に沿った片棟５の上面に取り付けた棟下地材２２と、片棟包み２３とを、片棟５の入隅部側の上半部と棟下地材２２の上面と片棟入隅下がり上部品１６の上面に取り付けた片棟入隅下がり包み２４で連続させることができる。
【００６７】
さらに、片棟包み２３に一端部を重ねて、片棟５の出隅部の上半部及び上面に片棟出隅包み２５を取り付ける構造のため、片棟出隅上部品１７と片棟包み２３とを片棟出隅包み２５で連続させることができる。
【００６８】
そして、片棟入隅下がり包み２４の上面に一端部を重ねて、棟下地材２２の上面を覆う棟包み２６を取り付ける構造のため、片棟入隅下がり包み２４と大棟４を棟包み２６で連続させることができる。
【００６９】
（変形例）
以上の実施形態においては、建物の正面側において、第一屋根に対し第二屋根の妻側端部を大棟に沿って後退させた構成としたが、本発明はこれに限定されるものではなく、逆に、第二屋根に対し第一屋根の妻側端部を大棟に沿って後退させた構成であってもよい。
また、実施形態では、異種勾配屋根の正面及び背面において、第一屋根と第二屋根の妻側端部の位置をずらしたが、異種勾配屋根の正面又は背面のいずれかにおいて、第一屋根と第二屋根の妻側端部の位置をずらしたものであればよい。
さらに、片棟及び破風の納まり部材を板金製としたが、樹脂製であってもよい。
【００７０】
また、実施形態では、異種勾配屋根について説明したが、少なくとも二方向に傾斜する屋根が大棟を境にして互いに隣接する勾配屋根であればよい。
さらに、屋根の片棟及び妻側端部の形状や、片棟及び破風の納まり部材の形状等も任意であり、例えば、入隅部品、出隅部品は、片棟部材又は破風部材と一体であってもよく、その他、具体的な細部構造等についても適宜に変更可能であることは勿論である。
【符号の説明】
【００７１】
１  第一屋根（一方の屋根）
２  第二屋根（他方の屋根）
３  異種勾配屋根
４  大棟
５  片棟
６  片棟
７  妻側端部
８  妻側端部
９  妻側端部
１０  妻側端部
１１  捨て水切り
１２  片棟部材
１２ａ  下半部
１２ｂ  上半部
１２ｃ  折り返し形状部
１３  破風部材
１３ａ  上半部
１３ｂ  下半部
１３ｃ  溝
１４  片棟入隅下がり下部品
１４ａ  下半部
１４ｂ  下がり形状下半部
１４ｃ  上半部
１４ｄ  上方延長部
１５  片棟出隅下部品
１５ａ  下半部
１５ｂ  直角端面部
１５ｃ  上方延長部
１６  片棟入隅下がり上部品
１６ｂ  下がり形状上半部
１６ｃ  直角延長部
１７  片棟出隅上部品
１８  破風部材
１９  破風部材
２０  破風部材
２１  屋根材
２２  棟下地材
２３  片棟包み（棟包み部材）
２３ａ  垂直面部
２３ｂ  水平面部
２４  片棟入隅下がり包み（棟包み部材）
２４ａ  垂直面部
２４ｂ  水平面部
２４ｃ  直角延長部
２５  片棟出隅包み（棟包み部材）
２５ａ  垂直面部
２５ｂ  水平面部
２６  棟包み（棟包み部材）
【図１】
2019183533.tif 000003
【図２】
2019183533.tif 000004
【図３】
2019183533.tif 000005
【図４】
2019183533.tif 000006
【図５】
2019183533.tif 000007
【図６】
2019183533.tif 000008
【図７】
2019183533.tif 000009
【図８】
2019183533.tif 000010
【図９】
2019183533.tif 000011
【図１０】
2019183533.tif 000012